(57)【要約】【課題】本発明は、スイッチに加わる圧力に従って異なる信号を提供することができる多段動作スイッチを提供する。【解決手段】本発明による多段動作スイッチは、電子機器の印刷回路基板に連結され、上面に一つ以上の接点が設けられるスイッチ印刷回路基板と、スイッチ印刷回路基板の上面に取り付けられ、圧力が与えられた場合、接点と接点とを電気的に連結させる弾性板とを有しており、弾性板は、端部から上部方向に突出形成される第１突出部と、第１突出部に連接し、第１突出部と同じ方向に突出形成される第２突出部と、弾性板の端部から第１突出部に対して反対方向に折り曲げられる第１傾斜部とを含む。【選択図】図２
2010135319.tif 000002
【特許請求の範囲】
【請求項１】
電子機器の印刷回路基板に連結され、上面に一つ以上の接点が設けられるスイッチ印刷回路基板、及び、前記スイッチ印刷回路基板の上面に取り付けられ、圧力が与えられた場合、前記接点同士を電気的に連結させる弾性板を有し、
前記弾性板は、端部から上部方向に突出形成される第１突出部と、前記第１突出部に連接し、前記第１突出部と同じ方向に突出形成される第２突出部と、
前記弾性板の端部から前記第１突出部に対して反対方向に折り曲げられる第１傾斜部とを含む、多段動作スイッチ。
【請求項２】
前記第１突出部には、前記弾性板が加圧される場合、前記第１突出部の変形が容易になるための切開面が形成されている、請求項１に記載の多段動作スイッチ。
【請求項３】
前記第１突出部と前記第２突出部は前記弾性板の中心に向かって傾斜を有して形成され、前記第１突出部と第２突出部との間には前記第１突出部と前記第２突出部を離隔させる第２傾斜部が形成されている、請求項２に記載の多段動作スイッチ。
【請求項４】
前記スイッチ印刷回路基板は、前記弾性板の下部に前記第１傾斜部の側面から隙間をもって設けられ、前記第１傾斜部に連結される第１接点と、前記弾性板に圧力が与えられた場合、前記第１突出部と接する第２接点と、前記第１突出部と前記第２接点が接するときの圧力よりさらに大きい圧力が与えられた場合、前記第２突出部と接する第３接点とを含む、請求項１なしい３のいずれか一項に記載の多段動作スイッチ。
【請求項５】
前記弾性板の上面には、前記スイッチ印刷回路基板を覆うことにより前記弾性板を前記スイッチ印刷回路基板に固定せしめるフィルムを有する、請求項１に記載の多段動作スイッチ。
【請求項６】
前記フィルムは、電磁波遮蔽用フィルムである、請求項５に記載の多段動作スイッチ。
【請求項７】
前記第１傾斜部は、前記弾性板の両側角部の互いに対向する位置に形成される多数のブリッジからなる、請求項１ないし３のいずれか一項に記載の多段動作スイッチ。
【請求項８】
前記ブリッジは、互いに対向して形成される二つのブリッジからなる、請求項７に記載の多段動作スイッチ。
【請求項９】
前記ブリッジは、対角方向に対向するように形成される四つのブリッジからなる、請求項７に記載の多段動作スイッチ。
【請求項１０】
上面に複数の接点部が互いに離隔して形成された印刷回路基板と、前記印刷回路基板の上面に取り付けられ、圧力が与えられた場合、前記印刷回路基板の接点部同士を電気的に連結する弾性板を有し、
前記弾性板は、前記印刷回路基板の上面に取り付けられ、周縁部が傾斜して形成された帯状からなるベース部と、前記ベース部の内側両端に前記ベース部の中心に向けて延長される第１接触部と、前記ベース部の中央部に配置されて上方に凸状に形成される第２接触部と、前記第１接触部及び第２接触部を連結する連結部とを有し、前記第２接触部に圧力が加わると、前記第１接触部が前記印刷回路基板の接点部に接触し、それから引き続いて圧力が加わると、前記第２接触部が前記印刷回路基板の接点部に接触する、多段動作スイッチ。
【請求項１１】
前記印刷回路基板は、所定形状の溝が複数形成されたフレームと、前記フレームの溝に対応する形状を有して形成され、前記フレームの溝に挿入固定され、複数の接点部を形成する導電性の端子とを含む、請求項１０に記載の多段動作スイッチ。
【請求項１２】
前記ベース部の左側端及び右側端には前記印刷回路基板の接点部に常時接触することになる折曲部が形成される、請求項１０に記載の多段動作スイッチ。
【請求項１３】
前記印刷回路基板の両側には挿入溝が形成され、前記ベース部の両端にはそれぞれ前記挿入溝に挿入固定される挿入突起が突出形成されている、請求項１０に記載の多段動作スイッチ。
【請求項１４】
前記弾性板の上面を覆うように付着され、前記弾性板が前記印刷回路基板に固定させられるようにする保護フィルムを含む、請求項１０乃至１３のうち何れか一項に記載の多段動作スイッチ。
【請求項１５】
前記保護フィルムの上部に取り付けられており、両端が前記印刷回路基板と組み合わされ、前記弾性板及び保護フィルムの離脱を防止するように固定させるフレームカバーを含む、請求項１４に記載の多段動作スイッチ。
【発明の詳細な説明】
【技術分野】
【０００１】
本発明は、スイッチに加わる圧力に従って異なる信号を提供することができる多段動作スイッチに関する。
【背景技術】
【０００２】
離れている接点同士間で圧力を受け、上下に移動する導電体からなる圧力式スイッチは、接点と接点の接触により一つの信号だけを提供することができ、通常、オン-オフ式制御を行うのに使われる。
【０００３】
しかし、最近、各種家電機器の小型化及び使用者の機器操作の利便性を反映し、スイッチに伝わる圧力の変化によって多様な信号を提供することができるスイッチが開発されている。
【０００４】
このようなスイッチは、圧力が加わると、形状の変化を引き起こす弾性板を利用して弾性板の変化によって接触される接点を数個設置し、圧力によって接触する接点の位置を異にすることによって、圧力に応じる多様な信号を提供することができる。
【０００５】
しかし、こうしたスイッチは、弾性板が印刷回路基板に埋め込まれることにより固定されるので、その製作工程が複雑となるという問題があった。
【０００６】
また、弾性板の反転動作を基準として異なる信号を発生させるので、弾性板の反転変形の領域を発生させる圧力付近ではスイッチに与えられた圧力を微細に調整することにより所望の信号を発生させることができるので、スイッチの速応性を損なうという問題があった。
【発明の概要】
【発明が解決しようとする課題】
【０００７】
本発明は、前述した問題を解決するもので、弾性板とスイッチ印刷回路基板の単純な構成を利用して製作することができ、製作費用を削減できる多段動作スイッチを提供することを目的とする。
【０００８】
また、本発明は、使用者による圧力が加わる場合、圧力伝達方向に対して垂直に移動することができる空間を形成し、使用者の圧力に即時反応する多段作動スイッチを提供することを他の目的とする。
【０００９】
また、本発明は、圧力の微細な変化にも反応する多段動作スイッチを提供することをさらに他の目的とする。
【００１０】
また、本発明は、電磁波遮蔽用フィルムを配設することによって、電子機器から発生する電磁波を遮断することができる多段動作スイッチを提供することをさらに他の目的とする。
【００１１】
また、本発明は、組立工程が単純な多段動作スイッチを提供することをさらに他の目的とする。
【００１２】
また、本発明は、クリック機能が強化される多段動作スイッチを提供することをさらに他の目的とする。
【００１３】
また、一つの弾性板でも多段動作を可能とさせる多段動作スイッチを提供することをさらに他の目的とする。
【課題を解決するための手段】
【００１４】
前述した本発明の目的は、電子機器の印刷回路基板に連結され、上面に一つ以上の接点が設けられるスイッチ印刷回路基板と、前記スイッチ印刷回路基板の上面に取り付けられ、圧力が与えられた場合、前記接点同士を電気的に連結させる弾性板とを有しており、前記弾性板は、端部から上部方向に突出形成される第１突出部と、第１突出部に連接し、前記第１突出部と同じ方向に突出形成される第２突出部と、前記弾性板の端部から前記第１突出部に対して反対方向に折り曲げられる第１傾斜部とを含むことを特徴とする多段動作スイッチを提供することによって達成される。
【００１５】
望ましくは、前記第１突出部には、前記弾性板が加圧される場合、前記第１突出部の変形が容易となるように切開面が形成されており、前記第１突出部と前記第２突出部は前記弾性板の中心に向けて傾斜を有して形成され、前記第１突出部と前記第２突出部の間には、前記第１突出部と前記第２突出部とを離隔させるための第２傾斜部が形成されており、前記スイッチ印刷回路基板は、前記弾性板の下部に前記第１傾斜部の側面から隙間を有して設けられ、前記第１傾斜部に連結される第１接点と、前記弾性板に圧力が与えられた場合に前記第１突出部と接する第２接点と、前記第１突出部と前記第２接点とが接するときの圧力より大きい圧力が与えられた場合、前記第２突出部と接する第３接点を含むことができる。
【００１６】
また、望ましくは、前記弾性板の上面には前記スイッチ印刷回路基板を覆い、前記弾性板を前記スイッチ印刷回路基板に固定させるフィルムをさらに含むことができ、この場合、前記フィルムは、電磁波遮蔽用フィルムに適用することができる。
【００１７】
また、望ましくは、前記第１傾斜部は、前記弾性板の両側角部の互いに対向する位置に形成される多数のブリッジからなる。
【００１８】
前述した本発明の目的は、上面に複数の接点部が互いに離隔するように形成された印刷回路基板と、前記印刷回路基板の上面に取り付けられ、圧力が与えられた場合、前記印刷回路基板の接点部同士を電気的に連結する弾性板を有しており、前記弾性板は、前記印刷回路基板の上面に取り付けられ、縁部が傾斜して形成された帯状に成されているベース部と、前記ベース部の内側両端に前記ベース部の中心に向けて延長される第１接触部と、前記ベース部の中央部に配置され、上方に凸状に形成される第２接触部と、前記第１接触部と第２接触部をつなげる連結部を有し、前記第２接触部に圧力が加わると、前記第１接触部が前記印刷回路基板の接点部に接触することになり、それからさらに圧力が加わると、前記第２接触部が前記印刷回路基板の接点部に接触することを特徴とする多段動作スイッチを提供することによって達成される。
【００１９】
望ましくは、前記印刷回路基板は、所定形状の溝が複数形成されたフレームと、前記フレームの溝に対応する形状を有して形成され、前記フレームの溝に挿入固定され、複数の接点部を形成する導電性の端子を含むことができる。
【００２０】
また、望ましくは、前記ベース部の左側端及び右側端には前記印刷回路基板の接点部に常時接触している折曲部が形成される。
【００２１】
また、望ましくは、前記印刷回路基板の両側には挿入溝が形成されており、前記ベース部の両端にはそれぞれ前記挿入溝に挿入固定される挿入突起が形成される。
【００２２】
また、望ましくは、前記弾性板の上面を覆うように付着され、前記弾性板を前記印刷回路基板に固定させる保護フィルムをさらに含むことができると共に、この場合、前記保護フィルムの上部に取り付けられており、両端が前記印刷回路基板と組み合わされ、前記弾性板及び保護フィルムの離脱を防止できるように固定させるフレームカバーを含むことができる。
【発明の効果】
【００２３】
本発明の多段動作スイッチによれば、弾性板とスイッチ印刷回路基板の単純な構成を利用して製作することにより、製作コストを削減できる。また、使用者による圧力が加わる場合、圧力伝達方向に対して垂直に移動することができる空間を形成することにより、使用者の圧力に即時反応するばかりでなく、圧力の微細な変化にも反応できるので、信頼性を向上させることができる。
【００２４】
また、電磁波遮蔽用フィルムを設けることによって、電子機器から発生する電磁波を遮断することができる。
【００２５】
また、印刷回路基板に弾性板を取り付けて結合固定させた後、保護フィルムを付着し、フレームカバーを組み合わせるだけでよいことから、組立工程が単純で製造費用も低減することができる。
【００２６】
また、弾性板に、印刷回路基板の接点部と常時接触することになる折曲部を形成することによって、クリック機能を強化することができる。
【００２７】
さらに、弾性板に圧力が加わると、順次に印刷回路基板の接点部と接触される複数の接触部が形成されていることによって、一つの弾性板によってでもスイッチの多段動作が可能となる。
【図面の簡単な説明】
【００２８】
【図１】本発明の一実施例による多段動作スイッチの斜視図。
【図２】図１に示した多段動作スイッチの分解斜視図。
【図３Ａ】図１に示した多段動作スイッチの作動過程を示す断面図。
【図３Ｂ】図１に示した多段動作スイッチの作動過程を示す断面図。
【図３Ｃ】図１に示した多段動作スイッチの作動過程を示す断面図。
【図４Ａ】図１に示した多段動作スイッチの弾性板の他の例を示した平面図。
【図４Ｂ】図１に示した多段動作スイッチの弾性板の他の例を示した平面図。
【図５】本発明の他の実施例による多段動作スイッチの斜視図。
【図６】図５に示めした多段動作スイッチの分解斜視図。
【図７Ａ】図５に示めした多段動作スイッチの作動過程を示す断面図。
【図７Ｂ】図５に示めした多段動作スイッチの作動過程を示す断面図。
【図７Ｃ】図５に示めした多段動作スイッチの作動過程を示す断面図。
【発明を実施するための形態】
【００２９】
以下、本発明の望ましい実施例について添付図面を参照し詳しく説明する。但し、以下で説明する実施例は、本発明の属する技術分野において通常の知識を有する者が発明を容易に実施し得る程度に詳細に説明するためのものに過ぎず、これにより本発明の技術的範囲が限定することを意味するのではない。
【００３０】
図１は本発明の一実施例による多段動作スイッチの斜視図、図２は図１に図示の多段動作スイッチの分解斜視図、図３Ａないし図３Ｃは図１に図示の多段動作スイッチ１の作動過程を示した断面図である。
【００３１】
図１乃至図３Ｃに示されているように、多段動作スイッチ１は、弾性板２０、接点が形成されたスイッチ印刷回路基板１０を有しており、弾性板２０とスイッチ印刷回路基板１０の上面を覆うフィルム３０をさらに含む。
【００３２】
弾性板２０は、スイッチ印刷回路基板１０の上部面に設けられ、使用者が弾性板２０の上部面を加圧するとき、スイッチ印刷回路基板１０に形成された接点１３、１５、１７に当接するものとして、弾性板２０に作用する圧力が除去されたとき、元の形状に復元し、当接していた接点から離れる。
【００３３】
このような弾性板２０は、弾性板２０の端部からスイッチ印刷回路基板１０の方向に折り曲げられる第１傾斜部２２と、第１傾斜部２２から弾性板２０の中央部方向に傾斜を有して上部方向に突出される第１突出部２３と、第１突出部２３に連接して弾性板２０の中央部方向に傾斜を有して形成される第２傾斜部２６と、第２傾斜部２６から上部方向に突出される第２突出部２７とからなる。
【００３４】
第１傾斜部２２は、後述するスイッチ印刷回路基板１０の上部に設置された第１接点１３と接するものとして、図３Ａないし図３Ｃに示されているように端面がスイッチ印刷回路基板１０の方向に傾斜を有するように第１突出部２３から折り曲げられている。
【００３５】
第１突出部２３は、弾性板２０に圧力が与えられたとき、後述する第２接点１５と接するものとして、両端部が丸く切開されたプレート形状に形成され、中央が上部方向に向けて突出している。
【００３６】
第１突出部２３には図１乃至図２に示したように第１突出部２３の上部と下部を貫通させる切開面２９が形成されているので、弾性板２０に圧力が与えられたとき、第１突出部２３の第２接点方向への変形をより容易とする。
【００３７】
また、第１突出部２３の中央には弾性板２０の中央方向に傾斜している環状の第２傾斜部２６が形成されている。
【００３８】
第２傾斜部２６は、第１突出部２３と第２突出部２７を離隔させるものとして、第１突出部２３を第２接点１５に当接させるべく弾性板２０に圧力を与えた場合、第２突出部２７が第１突出部２３より低い位置又は同じ位置に変形し、スイッチ印刷回路基板１０に形成された接点に当接する虞を防止する。
【００３９】
第２傾斜部２６に連接して形成される第２突出部２７は、中央が凸なる円板状に形成され、第１突出部２３が変形して第２接点１５に当接した時よりさらに大きい圧力が弾性板２０に与えられた場合、後述する第３接点１７に接する。
【００４０】
スイッチ印刷回路基板１０は、該底面に、移動通信端末機の印刷回路基板(図示せず)に連結される接点(図示せず)が形成されているものとして、その上部面には底面に形成された接点に電気的に連結される第１接点１３と、第２接点１５及び第３接点１７が形成され、その上部には上述した弾性板２０が取り付けられる。
【００４１】
また、スイッチ印刷回路基板１０の上面には、スイッチ印刷回路基板１０の上部に取り付けられた弾性板２０がスイッチ印刷回路基板１０上から滑り離脱することを防止する、弾性板２０の形状に応じて開放面が形成されたベースフィルム４０が設けられる。
【００４２】
このようなベースフィルム４０は、ポリエチレンテレフタラート(ｐｏｌｙｅｔｈｙｌｅｎｅ  ｔｅｒｅｐｈｔａｌａｔｅ、ＰＥＴ)又はポリカーボネート(ｐｏｌｙｃａｂｏｎａｔｅ、ＰＣ)からなる。
【００４３】
ベースフィルム４０と弾性板２０との間には、図３Ａ及び図３Ｃに示したように、弾性板２０の変形時にスイッチ印刷回路基板１０の上部面を移動することができるように空間部１９が形成されており、弾性板２０の上面とベースフィルム４０の上部はフィルム３０で覆われることにより固定できる。
【００４４】
空間部１９は、弾性板２０が変形を起こす場合、弾性板２０の側面方向に伸張することができる空間として、この空間部１９により弾性板２０の変形がより容易に行われる。
【００４５】
第１接点１３、第２接点１５及び第３接点１７は、スイッチ印刷回路基板１０の上面に形成され、スイッチ印刷回路基板１０の後面に形成された接点に連結されることになる。
【００４６】
第１接点１３は、第１傾斜部２２の位置に対応して形成され、第２接点１５は、図２に示されているように、第１突出部２３の形状に対応して設けられ、第３接点１７は、円板形状からなり、弾性板２０が加圧されたとき、第２突出部２７に接することができるように第２突出部２７の位置に対応して設けられる。
【００４７】
弾性板２０の上部面とベースフィルム４０の上部を覆うフィルム３０は、移動通信端末機から発生する電磁気波を遮断することができるように電磁波遮蔽用フィルム３１が用いられる。
【００４８】
この際、電磁波遮蔽用フィルム３１の下面にはポリエチレンテレフタラートのような材質からなる絶縁フィルム３３が設けられ、弾性板２０の上部へ電気が通るのを防止する。
【００４９】
図３Ａないし図３Ｃを参照して多段動作スイッチ１の動作状態について述べると、以下の通りである。図３Ａは、弾性板２０に圧力が与えられなかった場合を示したものであって、この状態では第１傾斜部２２の端部と第１接点１３のみとが当接している。そこで、弾性板２０に圧力が加わると、図３Ｂのように弾性板２０は変形し、弾性板２０の変形に起因して第１突出部２３と第２接点１５は当接することになり、弾性板２０を介して第１接点１３と第２接点１５とは互いに電気的につながることになる。
【００５０】
このような状態で、弾性板２０に圧力がさらに加わると、図３Ｂに示されているように弾性板２０はスイッチ印刷回路基板１０の上部面、より具体的にはベースフィルム４０方向の空間部１９の方に伸び、こうした変形によって第１突出部２３は第２接点１５に接することになる。
【００５１】
また、図３Ｂの状態よりさらに大きい圧力が加わると、弾性板２０は、図３Ｂの状態よりさらに大きく変形し、空間部１９の方向にさらに伸びることになり、第２突出部２３は第３接点１７に接することになる。
【００５２】
この時、突き出されている第２突出部２７は、図３Ｃの如く、反転変形し、瞬間的に反発力を減少させるので、使用者にクリック感を伝えることになる。
【００５３】
このような多段動作スイッチ１は、スイッチ印刷回路基板１０、弾性板２０、フィルム３０からなるので、多段動作スイッチ１のサイズを減らすことができ、特に高さを減らすことが可能であるため、移動通信端末機のような小型化電子機器への適用が容易になる。
【００５４】
一方、図４Ａ及び図４Ｂには、本発明の一実施例による多段動作スイッチの弾性板２０の他の例が示されている。図４Ａ及び図４Ｂに表記された参照符号のうち、説明が省略されているものに関しては、前述した本発明の一実施例における説明を参照すれば良い。弾性板２０は、第１傾斜部２２が橋形状のブリッジ２２ａ、２２ｂからなる。この場合、ブリッジ２２ａ、２２ｂは、弾性板２０の両側、又は角部の互いに対向する位置に形成される多数個のものからなる。
【００５５】
図４Ａに示されているように、弾性板２０の両端に互いに対向して形成されている一対のブリッジ２２ａからなるか、または図４Ｂに示されているように、弾性板２０の両側角部から互いに対角方向に対向して形成される４つのブリッジ２２ｂからなる。
【００５６】
このように第１傾斜部２２が多数のブリッジ２２ａ、２２ｂからなると、クリック感をより向上でき、しかもブリッジ２２ａ、２２ｂの下端部に接点力が集中することになるので、接点の信頼性を向上させることができる。
【００５７】
さらに、弾性板２０の重さを減らすことができるので、多段動作スイッチ１の全体重量を減少させることができる。
【００５８】
図５は本発明の他の実施例による多段動作スイッチの斜視図、図６は図５に図示の多段動作スイッチの分解斜視図、図７Ａ乃至図７Ｃは図５に図示の多段動作スイッチの作動過程を示す断面図である。
【００５９】
図５乃至図７Ｃに示したように、多段動作スイッチは、印刷回路基板１００、弾性板２００を有して構成されており、望ましくは保護フィルム３００及びフレームカバー４００をさらに含むことができ、印刷回路基板１００、弾性板２００、保護フィルム３００、フレームカバー４００が順次積層されている構造からなる。
【００６０】
印刷回路基板１００は、上面に複数の接点部が互いに離隔形成されており、図６乃至図７には例示的に印刷回路基板１００の上面に四つの接点部が形成されたものが示されている。
【００６１】
望ましくは、印刷回路基板１００は、図６に示したように、フレーム１１０及び導電性端子(ｔｅｒｍｉｎａｌ)１２０を有してなされる。フレーム１１０には所定形状の溝(図示せず)が複数個形成されており、端子１２０は、フレーム１１０の溝に対応する形状に形成されており、端子１２０がフレーム１１０の溝に挿入固定され、複数の接点部を形成することになる。便宜上、以下、印刷回路基板１００の接点部を第１接点部１２０ａ、第２接点部１２０ｂ、第３接点部１２０ｃ、第４接点部１２０ｄと称する。
【００６２】
一方、印刷回路基板１００を構成するフレーム１１０と端子１２０とがインサート射出成型により一体に形成されることが望ましい。
【００６３】
弾性板２００は、印刷回路基板１００の上面に取り付けられて組み合わされており、圧力が加わると、印刷回路基板１００の接点部同士を電気的に連結する役割を奏するものとして、導電性の材質からなる。こうした弾性板２００に与えられた圧力が除去されると、元の形状に戻り、接点部から離れることになる。
【００６４】
望ましくは、弾性板２００は、印刷回路基板１００の上面に取り付けられており、周縁部が傾斜して形成された帯状からなるベース部２１０と、ベース部２１０の内側両端からベース部２１０の中心に向けて延長される第１接触部２２０と、ベース部２１０の中央部に配置され上方に凸状に形成される第２接触部２３０と、第１接触部２２０及び第２接触部２３０を連結する連結部２４０を有してなされる。
【００６５】
この場合、ベース部２１０は、周縁部が中心に向けて傾斜を有するように形成されており、ベース部２１０の両端には印刷回路基板１００のフレーム１１０の両側に形成された挿入溝１１２に挿入されるための挿入突起２１２が突き出されて形成されている。挿入溝１１２及び挿入突起２１２を設ける理由は、ベース部２１０を印刷回路基板１００に容易に組み合わせることができるようにするためであり、そのことから組立工程が簡単になる。
【００６６】
ベース部２１０の左側端及び右側端には、印刷回路基板１００の接点部に常時接触可能な折曲部２１４を形成することが特に望ましく、ベース部２１０の左側端及び右側端に形成された折曲部２１４は、それぞれ印刷回路基板１００の第１接点部１２０ａと第４接点部１２０ｄに常時接触された状態を維持することになる。このような折曲部２１４を形成した理由は、印刷回路基板１００上に弾性板２００が安定的に支持されるようにするためであり、また１次クリック機能の役割を強化するためでもある。
【００６７】
第１接触部２２０は、弾性板２００に圧力が与えられると、下方に加圧され、印刷回路基板１００の第１接点部１２０ａに接触することになる部分である。このような第１接触部２２０は、ベース部２１０の内側両端から中心に向けて延長形成されており、水平に形成されたり、所定の傾斜を有して形成されたりすることも可能である。図６に点線で表示された領域が第１接触部２２０に該当する部分である。
【００６８】
連結部２４０は、第１接触部２２０と第２接触部２３０を連結する役割を果たすものであって、第１接触部２２０と同じく水平に形成されたり、所定傾斜を有して形成されたりすることができる。
【００６９】
第２接触部２３０は直接的に圧力が与えられる部分として上方に凸となるように形成される。第２接触部２３０に所定圧力が加わると、先ず、第１接触部２２０が印刷回路基板１００の第１接点部１２０ａに接触することになり、第２接触部２３０の外側端が第２接点部１２０ｂに接触し、それからさらに圧力が加わると、第２接触部２３０の中央部が印刷回路基板１００の第３接点部１２０ｃに接触することになる。
【００７０】
保護フィルム３００は、弾性板２００の上面を覆うように付着され、弾性板２００を印刷回路基板１００に堅固に固定せしめる役割を奏する。前述したように、弾性板２００は、両端に形成された挿入突起２１２がフレーム１１０の両側に形成された挿入溝１１２に挿入されることによって、印刷回路基板１００に固定されるものの、さらに堅固に固定させるために保護フィルム３００を付着するのである。さらに、弾性板２００の第２接触部２３０にはボタンの押下に起因して頻繁に圧力が与えられるので、保護フィルム３００は、弾性板２００を保護する役割も果たすことになる。保護フィルム３００は、ポリエチレンテレフタレート材質からなる。
【００７１】
フレームカバー４００は、保護フィルム３００の上部に取り付けられ、印刷回路基板１００との間に配置される弾性板２００と保護フィルム３００の離脱を防止する役割を奏する。
【００７２】
フレームカバー４００と印刷回路基板３００の結合関係について説明すると、印刷回路基板１００の周縁に結合突起１１４が形成されており、フレームカバー４００の両側端は下方に延長され、前記結合突起１１４がそれぞれ挿入されるための結合溝４１０が形成されている。
【００７３】
参考に、本発明の一実施例による多段動作スイッチが通信機器などに適用される場合、ボタンが弾性板を加圧し得るように、フレームカバー４００は、弾性板２００の第２接触部２３０が露出されるように部分的に切開されている。
【００７４】
以上のような本発明の一実施例による多段動作スイッチの組立過程を概略的に説明すると、次の通りである。先ず、インサート射出成型によりフレーム１１０及び端子１２０からなる印刷回路基板１００を成形し、弾性板２００、保護フィルム３００、フレームカバー４００をそれぞれ別途成形する。
【００７５】
成形された印刷回路基板１００の上面に弾性板２００を取り付ける。この際、弾性板２００の両端に形成の挿入突起２１２がフレーム１１０の両側に形成の挿入溝１１２に挿入されることにより弾性板２００が固定させられると共に、弾性板２００の折曲部２１４は、それぞれ印刷回路基板１００の第１接点部１２０ａ及び第４接点部１２０ｄに常時接触することになる。
【００７６】
それから、弾性板２００の上面を覆うように保護フィルム３００を付着する。この場合、保護フィルム３００の角部は、印刷回路基板１００の上面に付着されるので、弾性板２００がさらに堅固に取り付けられることになる。
【００７７】
最後に、保護フィルム３００が付着された弾性板２００の上部にフレームカバー４００を取り付けてから、印刷回路基板１００のフレーム１１０と組み合わせることによって、多段動作スイッチの組立が終了することになる。このように、製造組立工程が簡単容易となる利点がある。
【００７８】
本発明の一実施例による多段動作スイッチの作動過程は、図７Ａ乃至図７Ｃを参照して説明する。先ず、図７Ａに示したように、弾性板２００に何らかの圧力も与えられなかった場合、弾性板２００の折曲部２１４のみが印刷回路基板１００の第１接点部１２０ａ及び第４接点部１２０ｄに接触することになっている。
【００７９】
図７Ｂに示したように、弾性板２００の第２接触部２３０に所定圧力が加わると、弾性板２００が変形することになる。先ず、第２接触部２３０と連結部２４０により連結された第１接触部２２０が、印刷回路基板１００の第１接点部１２０ａに接触し、第２接触部２３０の外側端が第２接点部１２０ｂに接触することになる。これにより、第１接点部１２０ａ、第４接点部１２０ｄ及び第２接点部１２０ｂが電気的につながることになる。
【００８０】
図７Ｃに示したように、弾性板２００の第２接触部２３０にさらに大きい圧力が加わると、弾性板２００の第２接触部２３０そのものに変形が大きく発生し、凹形状になる。これにより、第２接触部２３０の中央部は、全体的に印刷回路基板１００の第３接点部１２０ｃに接触することになり、結局第１接点部１２０ａ乃至第４接点部１２０ｄが電気的に繋がることになる。
【符号の説明】
【００８１】
１  多段動作スイッチ
１０  スイッチ印刷回路基板 
１３  第１接点
１５  第２接点
１７  第３接点
１９  空間部
２０  弾性板
２２  第１傾斜部
２２ａ  ブリッジ
２２ｂ  ブリッジ
２３  第１突出部
２６  第２傾斜部
２７  第２突出部
２９  切開面
３０  フィルム
３１  電磁波遮蔽フィルム
３３  絶縁フィルム
４０  ベースフィルム
１００  印刷回路基板
１１０  フレーム
１１２  挿入溝
１２０  端子
１２０ａ、１２０ｂ、１２０ｃ、１２０ｄ  接点部
２００  弾性板
２１０  ベース部
２１２  挿入突起
２１４  折曲部
２２０  第１接触部
２３０  第２接触部
２４０  連結部
３００  保護フィルム
４００  フレームカバー
【図１】
2010135319.tif 000003
【図２】
2010135319.tif 000004
【図３Ａ】
2010135319.tif 000005
【図３Ｂ】
2010135319.tif 000006
【図３Ｃ】
2010135319.tif 000007
【図４Ａ】
2010135319.tif 000008
【図４Ｂ】
2010135319.tif 000009
【図５】
2010135319.tif 000010
【図６】
2010135319.tif 000011
【図７Ａ】
2010135319.tif 000012
【図７Ｂ】
2010135319.tif 000013
【図７Ｃ】
2010135319.tif 000014